(57)【要約】【課題】健康診断の受付から診断結果の通知までを効率化する健診システムおよび健診方法を提供する。【解決手段】健診システム１は、受診者ごとに個人情報と複数の検査項目のうち検査を希望する検査希望項目とを紐付ける受付端末１１と、受診者のバイタルデータを取得する携行可能なバイタルバンド２０と、複数の検査項目のそれぞれの検査データを取得可能な複数の検査データ取得部３３、３４、４１と、受診者ごとに個人情報とバイタルデータと検査希望項目の検査データを紐付けて記憶するメモリ５３と、メモリに記憶されたバイタルデータおよび検査データに基づいて診断を行う診断処理部５１と、診断処理部による診断結果を前記受診者に通知する出力端末６２と、を有する。【選択図】図２
2019053696.tif 000002
【特許請求の範囲】
【請求項１】
受診者ごとに個人情報と複数の検査項目のうち検査を希望する検査希望項目とを紐付ける受付部と、
前記受診者のバイタルデータを取得する携行可能なバイタルデータ取得部と、
前記複数の検査項目のそれぞれの検査データを取得可能な複数の検査データ取得部と、
前記受診者ごとに前記個人情報と前記バイタルデータと前記検査希望項目の前記検査データを紐付けて記憶するメモリと、
前記メモリに記憶された前記バイタルデータおよび前記検査データに基づいて診断を行う診断処理部と、
前記診断処理部による診断結果を前記受診者に通知する結果通知部と、を有する健診システム。
【請求項２】
前記受診者の通過を検知する入場検知部と、前記受診者の通過を検知する退場検知部と、をさらに有し、
前記バイタルデータ取得部は、前記入場検知部が前記受診者の通過を検知した場合に、前記バイタルデータの取得を開始し、前記退場検知部が前記受診者の通過を検知した場合に、前記バイタルデータの取得を終了して、前記メモリに前記バイタルデータを送信する、請求項１に記載の健診システム。
【請求項３】
前記バイタルデータ取得部は、前記検査希望項目のうち未検査項目がある場合、未検査項目がある旨を報知する未検査報知部を備える、請求項１または請求項２に記載の健診システム。
【請求項４】
前記検査希望項目が複数ある場合、前記受診者の前記検査希望項目の検査順を決定する検査順決定部をさらに有し、
前記バイタルデータ取得部は、前記受診者に前記検査順を報知する検査順報知部を備える、請求項１〜３のいずれか１項に記載の健診システム。
【請求項５】
前記検査順決定部は、次の前記検査希望項目の検査を受ける際に待ち時間が発生する場合は、待ち時間のより少ない他の前記検査希望項目の検査を次に受けるように、前記検査順を変更する、請求項４に記載の健診システム。
【請求項６】
前記受付部は、前記受診者ごとにＩＤを付与する、請求項１〜５のいずれか１項に記載の健診システム。
【請求項７】
前記診断処理部は、前回の前記診断結果と今回の前記診断結果とを比較し、
前記結果通知部は、前記診断処理部による比較結果を前記受診者に通知する、請求項１〜６のいずれか１項に記載の健診システム。
【請求項８】
前記結果通知部は、前記診断結果に応じた商品を前記受診者に通知する、請求項１〜７のいずれか１項に記載の健診システム。
【請求項９】
前記バイタルデータ取得部は、前記受診者の腕に巻き付けられるバイタルバンドである、請求項１〜８のいずれか１項に記載の健診システム。
【請求項１０】
前記検査データ取得部の少なくとも一つは、医療をテーマにしたアトラクションであって、前記受診者が前記アトラクションを体験中に前記検査データを取得する、請求項１〜９のいずれか１項に記載の健診システム。
【請求項１１】
受診者ごとに個人情報と複数の検査項目のうち検査を希望する検査希望項目とを紐付ける受付ステップと、
前記受診者が携行するバイタルデータ取得部によってバイタルデータを取得するバイタルデータ取得ステップと、
前記検査希望項目の検査データを取得する検査データ取得ステップと、
前記受診者ごとに紐付けた前記バイタルデータおよび前記検査データに基づいて診断を行う診断ステップと、
前記診断ステップにおける診断結果を通知する結果通知ステップと、を有する健診方法。
【発明の詳細な説明】
【技術分野】
【０００１】
本発明は、健診システムおよび健診方法に関する。
【背景技術】
【０００２】
超高齢化社会を迎えた日本をはじめ、現在では世界規模で高齢化が進んでおり、医療費
増加が懸念されている。医療費の増加を抑制する観点から、複数の検査や診察等を経て健康状態を評価し、疾病を予防するまたは早期発見する健康診断の重要性が高まっている。
【０００３】
健康診断は、多数の受診者が、病院・学校・企業等の施設で一斉に受信することが多い。このため、多数の受診者が効率的に健康診断を受診できるような健診システムおよび健診方法の開発が求められている。例えば、下記特許文献１には、受診者が、受診者番号の付されたリストバンドを腕に巻き付けて各検査設備の窓口に向かい、各検査設備の窓口に設けられた読み取り装置がリストバンドに記録された受診者番号を読み取ることによって、効率的に健康診断を行う健診システムが記載されている。
【先行技術文献】
【特許文献】
【０００４】
【特許文献１】特開２００５−５０１７８号公報
【発明の概要】
【発明が解決しようとする課題】
【０００５】
しかしながら、上記特許文献１に記載の健診システムは、リストバンドによって、各検査設備の窓口における手続きを効率化するが、健康診断の受付から診断結果の通知までの一連の流れを総合的に効率化するものではない。
【０００６】
本発明は、上述した課題を解決するためになされたものであり、健康診断の受付から診断結果の通知までを総合的に効率化する健診システムおよび健診方法を提供することを目的とする。
【課題を解決するための手段】
【０００７】
本発明に係る健診システムは、受診者ごとに個人情報と複数の検査項目のうち検査を希望する検査希望項目とを紐付ける受付部と、前記受診者のバイタルデータを取得する携行可能なバイタルデータ取得部と、前記複数の検査項目のそれぞれの検査データを取得可能な複数の検査データ取得部と、前記受診者ごとに前記個人情報と前記バイタルデータと前記検査希望項目の前記検査データを紐付けて記憶するメモリと、前記メモリに記憶された前記バイタルデータおよび前記検査データに基づいて診断を行う診断処理部と、前記診断処理部による診断結果を前記受診者に通知する結果通知部と、を有する。
【０００８】
本発明に係る健診方法は、受診者ごとに個人情報と複数の検査項目のうち検査を希望する検査希望項目とを紐付ける受付ステップと、前記受診者が携行するバイタルデータ取得部によってバイタルデータを取得するバイタルデータ取得ステップと、前記検査希望項目の検査データを取得する検査データ取得ステップと、前記受診者ごとに紐付けた前記バイタルデータおよび前記検査データに基づいて診断を行う診断ステップと、前記診断ステップにおける診断結果を通知する結果通知ステップと、を有する。
【発明の効果】
【０００９】
上記の健診システムでは、受付部が、受診者ごとに個人情報と検査希望項目とを紐付ける（受付）。バイタルデータ取得部が、バイタルデータを取得し、検査データ取得部が、検査希望項目の検査データを取得する（検査）。取得された個人情報、バイタルデータおよび検査データは、受診者ごとに紐付けた状態でメモリに記憶され、診断処理部が、メモリに記憶されたバイタルデータおよび検査データに基づいて診断を行う（診断）。結果通知部が、診断結果を通知する（診断結果の通知）。このように、健診システムは、健康診断の受付から診断結果の通知までの流れを効率化する。健診方法についても同様である。
【図面の簡単な説明】
【００１０】
【図１】本発明の実施形態に係る健診システムが適用されたメディカルテーマパークの模式図である。
【図２】実施形態に係る健診システムを示す模式図である。
【図３】実施形態に係る健診システムの入場ゲートの受付端末を示す模式図である。
【図４】実施形態に係るバイタルバンドを示す模式図である。
【図５Ａ】実施形態に係る健診システムのアトラクションを示す模式図である。
【図５Ｂ】図５Ａのアトラクションのブロック図である。
【図６Ａ】実施形態に係る健診システムのアトラクションを示す模式図である。
【図６Ｂ】図６Ａのアトラクションのブロック図である。
【図７Ａ】実施形態に係る健診システムのアトラクションを示す模式図である。
【図７Ｂ】図７Ａのアトラクションのブロック図である。
【図８Ａ】実施形態に係る健診システムのアトラクションを示す模式図である。
【図８Ｂ】図８Ａのアトラクションのブロック図である。
【図９】実施形態に係る健診システムの健診設備を示すブロック図である。
【図１０】実施形態に係る健診システムの中央サーバを示すブロック図である。
【図１１】実施形態に係る健診システムの退場ゲートの出力端末を示す模式図である。
【図１２】実施形態に係る健診方法を示すフローチャートである。
【図１３】実施形態に係る健診方法の検査データ取得ステップを示すサブルーチンフローチャートである。
【図１４】変形例に係るアトラクションを示す模式図である。
【発明を実施するための形態】
【００１１】
以下、添付した図面を参照しながら、本発明の実施形態に係る健診システム１および健診方法を説明する。なお、以下の記載は特許請求の範囲に記載される技術的範囲や用語の意義を限定するものではない。また、図面の寸法比率は説明の都合上誇張されており、実際の比率とは異なる場合がある。
【００１２】
（健診システム）
図１、図２はメディカルテーマパークＰおよびメディカルテーマパークＰの健診システム１の説明に供する図である。図３〜図１１は健診システム１の各部の説明に供する図である。
【００１３】
メディカルテーマパークＰは、図１に示すように、５階建ての建物によって構成している。メディカルテーマパークＰは、訪問者が、アトラクション３０を体験しながら健康診断を受けたり、看護師や医師等の職業体験をしたり、健康に関連する商品を購入したり、フードコートやレストランで栄養食を食べたりできる健康・医療に関連したテーマパークとして構成している。メディカルテーマパークＰは、子供から老人まで幅広い層の訪問者が、健康について楽しみながら理解し、セルフメディケーションの意識を高めるのを支援する。
【００１４】
健診システム１は、メディカルテーマパークＰにおいて行われる健康診断に用いられるシステムとして構成している。なお、本明細書では、「健康診断」とは、受診者に各種の検査を受けさせて、受診者の健康状態を評価することを意味し、法律で毎年の受診が義務づけられている一般健康診断、自分の意志で受信可能な人間ドック、メタボリックシンドロームに特化して検査を行う特定健康診査等が含まれる。
【００１５】
健診システム１は、図２を参照して概説すると、受診者の入場を管理する入場ゲート１０と、バイタルデータを取得する携行可能なバイタルバンド２０（「バイタルデータ取得部」に相当）と、受診者が人間の生体内を模擬した遊具を体験中にバイタルデータや検査データを取得するアトラクション３０と、アトラクション３０を体験しなくても検査データを取得可能な健診設備４０と、各種データの管理および診断を行う中央サーバ５０と、受診者の退場を管理する退場ゲート６０と、を有している。なお、図２の細い矢印は、上記構成要素間の無線通信（無線ＬＡＮ等）による各種データのやり取りを示し、太い矢印は受診者の流れを示している。以下、健診システム１の各部について説明する。
【００１６】
（入場ゲート）
入場ゲート１０は、メディカルテーマパークＰの１階に設けられている（図１参照）。入場ゲート１０は、図２に示すように、受診者の個人情報と複数の検査項目のうち検査を希望する検査希望項目の入力を受付ける受付端末１１（「受付部」に相当）と、バイタルバンド２０を取付けた受診者の入場を検知する入場検知部１２と、を備えている。以下、入場ゲート１０の各部について説明する。
【００１７】
まず、受付端末１１について説明する。
【００１８】
受付端末１１は、図３に示すように、受診者から各種データの入力を受付ける入力ＩＦ１１ａと、受診者ごとにＩＤを割り当てるとともに、バイタルバンド２０にＩＤを登録して受診者に提供するバンド提供部１１ｂと、各種データを一時的に保存可能なメモリ１１ｃと、中央サーバ５０との間でデータの送受信が可能な送受信部１１ｄと、を備えている。以下、受付端末１１の各部について説明する。
【００１９】
入力ＩＦ１１ａは、本実施形態では、タッチパネルによって構成している。ただし、入力ＩＦ１１ａの構成は、受診者からの各種データの入力を受付けることができれば特に限定されず、例えば、キーボードによって構成してもよい。
【００２０】
入力ＩＦ１１ａは、受診者の個人情報、検査希望項目、一部の診断項目の検査場所の選択、等の入力を受付ける。個人情報としては、特に限定されないが、例えば、氏名・名称、住所、会社名、学校名、かかりつけの病院名、病歴、事前問診、個人・企業・学校・かかり付け医のメールアドレス、電子カルテ等である。検査希望項目としては、特に限定されないが、身長・体重検査、腹囲検査、視力・聴力検査、胸部Ｘ線検査、尿検査、血液検査（肝機能、貧血、血中脂質、血糖等の検査）、心電図検査、超音波エコー検査等である。一部の診断項目の検査場所の選択とは、本実施形態では、一部の検査項目については、アトラクション３０および健診設備４０の両方で検査を行えるため、アトラクション３０および健診設備４０のどちらで検査を行うかを選択するという意味である。なお、予め受診者が自宅のスマートフォンやＰＣ等で個人情報、検査希望項目、検査場所の選択等を入力しておき、入力ＩＦ１１ａでは、予め入力した内容を読み込み、受診者に最終確認させるだけでもよい。
【００２１】
バンド提供部１１ｂは、受診者ごとに割り当てたＩＤをバイタルバンド２０のメモリ２４に記憶させ、ＩＤが記憶されたバイタルバンド２０を受診者に提供する。
【００２２】
メモリ１１ｃは、割り当てたＩＤごとに、受診者の個人情報、検査希望項目、および、検査場所の選択等のデータを記憶する。このように、受付端末１１は、ＩＤによって、受診者の個人情報、検査希望項目、および、検査場所の選択等のデータを紐付けることができる。
【００２３】
送受信部１１ｄは、メモリ１１ｃに保存されたＩＤ、個人情報、検査希望項目、検査場所の選択等のデータを、中央サーバ５０に送信する。
【００２４】
次に、入場検知部１２について説明する。
【００２５】
入場検知部１２は、図２に示すように、受付端末１１の奥に設けられている。入場検知部１２は、ゲートによって構成している。入場検知部１２は、バイタルバンド２０を取付けた受診者の通過を検知した場合、バイタルバンド２０にバイタルデータの取得開始を指示する。
【００２６】
（バイタルバンド）
バイタルバンド２０は、図４に示すように、携行可能な本体部２１と、本体部２１に内蔵されるとともに受診者のバイタルデータを取得可能な測定部２２と、本体部２１に内蔵されるとともに、入場ゲート１０・中央サーバ５０・退場ゲート６０との間でデータの送受信が可能な送受信部２３と、本体部２１に内蔵されるとともに、各種データを記憶可能なメモリ２４と、本体部２１に設けられるとともに、受診者に各種情報を報知する報知部２５（「未検査報知部」および「検査順報知部」に相当）と、を有している。以下、バイタルバンド２０の各部について詳述する。
【００２７】
本体部２１は、長手方向に長い形状を備えており、受診者の腕に巻き付けられる。このように、バイタルバンド２０は、受診者が携行可能であるため、任意のタイミングでバイタルデータを取得することができる。
【００２８】
測定部２２は、本体部２１が受診者の腕に巻き付けられた状態で、脈拍数、血圧、体温、呼吸数等のバイタルデータを測定する。測定部２２は、本実施形態では、受診者が入場ゲート１０の入場検知部１２を通過してから退場ゲート６０の退場検知部６１を通過するまでの間、バイタルデータを測定する。ただし、測定部２２がバイタルデータを取得するタイミングは特に限定されない。例えば、測定部２２は、所定のタイミング（アトラクション３０を体験中等）にのみ、バイタルデータを取得してもよい。
【００２９】
送受信部２３は、受診者が入場ゲート１０の入場検知部１２を通過した際、入場検知部１２からバイタルデータの取得開始の指示を受信する。また、送受信部２３は、中央サーバ５０から検査希望項目の検査順を受信する。また、送受信部２３は、受診者が退場ゲート６０の退場検知部６１を通過した際、退場検知部６１からバイタルデータの取得終了の指示および中央サーバ５０にバイタルデータを送信する指示を受信する。この指示により、送受信部２３は、中央サーバ５０に、ＩＤおよびバイタルデータを送信する。これによって、中央サーバ５０は、バイタルデータに基づいて診断を行うことができる。
【００３０】
メモリ２４は、ＩＤ、バイタルデータおよび検査希望項目の検査順等のデータを記憶する。
【００３１】
報知部２５は、特に限定されないが、例えば、スピーカや液晶パネル等によって構成することができる。報知部２５は、受診者に検査希望項目の検査順を報知する。また、報知部２５は、次の検査場所までの移動経路を報知する。また、報知部２５は、検査希望項目のうち未検査項目がある状態で退場ゲート６０に向かった場合に、未検査項目がある旨を報知する。
【００３２】
（アトラクション）
アトラクション３０は、図２に示すように、脳血管を模擬した立体迷路である脳内迷路３１と、中枢血管および末梢血管内をカテーテルが走行するのを模擬したカテーテルコースター３２と、癌細胞に薬液等を照射するのを模擬したガンシューティング３３（「検査データ取得部」に相当）と、シリンジポンプによって病変部に薬液や栄養源等を供給するのを模擬したシリンジライド３４（「検査データ取得部」に相当）と、を有している。以下、アトラクション３０の各部について説明する。
【００３３】
まず、脳内迷路３１について説明する。
【００３４】
脳内迷路３１は、メディカルテーマパークＰの５階に設けられている（図１参照）。脳内迷路３１は、図５Ａに示すように、脳血管および狭窄部等の病変部を再現した立体迷路である。脳内迷路３１内には、病変部の治療アイテムや脳血管疾患に関するパネル（図示省略）等が設けられている。受診者は、脳内迷路３１を探索する過程で、行く手を阻む狭窄部等の病変部に対して、治療アイテムを適用したり、脳血管疾患の治療に関するクイズに正解したりすることによって、先に進む。このため、受診者は、楽しみながら脳疾患に関する理解を深めることができる。
【００３５】
脳内迷路３１では、バイタルバンド２０は、運動時および緊張時の血圧および脈拍等のバイタルデータを取得できる。受診者は、自分の足で脳内迷路３１内を散策するため、バイタルバンド２０は、受診者が運動中のバイタルデータを取得することができる。また、受診者は、クイズを解いている際等は、緊張状態におかれることが予想される。このため、バイタルバンド２０は、緊張状態のバイタルデータを取得することができる。
【００３６】
脳内迷路３１は、図５Ｂに示すように、受診者の脳内迷路３１への入出と入出した受診者のＩＤを検出可能な入出検出部３１ａと、中央サーバ５０との間でデータの送受信が可能な送受信部３１ｂと、を備えている。送受信部３１ｂは、受診者が脳内迷路３１への入ったのを入出検出部３１ａが検出した場合、その旨と受診者のＩＤを中央サーバ５０に送信する。また、送受信部３１ｂは、受診者が脳内迷路３１から出たのを入出検出部３１ａが検出した場合、その旨と受診者のＩＤを中央サーバ５０に送信する。このため、中央サーバ５０は、診断を行う際、バイタルバンド２０によって取得された時系列のバイタルデータのうち、脳内迷路３１を体験中に取得されたバイタルデータを抽出することができる。また、中央サーバ５０は、受診者の入出のタイミングを把握することによって、脳内迷路３１を体験中の受診者数を把握することができる。
【００３７】
次に、カテーテルコースター３２について説明する。
【００３８】
カテーテルコースター３２の入口は、メディカルテーマパークＰの４階に設けられている（図１参照）。カテーテルコースター３２は、図６Ａに示すように、中枢血管、末梢血管および狭窄部等の病変部を再現した経路内を、カテーテルを模擬したコースターが走行するジェットコースターである。受診者を乗せたコースターは、上行大動脈や大動脈弓等の湾曲する動脈を再現した急カーブ（図示省略）や、中枢血管と比較して血管径の小さい末梢血管（図示省略）を走行する。このため、受診者は、血管構造についての理解を楽しみながら深めることができる。また、本実施形態では、コースターには、バルーンおよびステントを模擬した狭窄部の拡張具（図示省略）が設けられており、コースターは、各所に設けられた狭窄部を拡張具によって治療しながら進んでいく。このため、受診者は、中枢血管と末梢血管における病変部および治療方法の違いについて、楽しみながら理解を深めることができる。
【００３９】
カテーテルコースター３２では、受診者は、急下降や急上昇等するコースターに乗っているため、バイタルバンド２０は、受診者に加速度等の負荷が加わった状態や恐怖を感じた状態での血圧・脈拍等のバイタルデータを取得できる。
【００４０】
カテーテルコースター３２は、図６Ｂに示すように、受診者のカテーテルコースター３２への入出を検出可能な入出検出部３２ａと、中央サーバ５０との間でデータの送受信が可能な送受信部３２ｂと、を備えている。送受信部３２ｂは、受診者がカテーテルコースター３２へ入ったのを入出検出部３２ａが検出した場合、その旨と受診者のＩＤを中央サーバ５０に送信する。また、送受信部３２ｂは、受診者がカテーテルコースター３２から出たのを入出検出部３２ａが検出した場合、その旨と受診者のＩＤを中央サーバ５０に送信する。このため、中央サーバ５０は、診断を行う際、バイタルバンド２０によって取得された時系列のバイタルデータのうち、カテーテルコースター３２を体験中に取得されたバイタルデータを抽出することができる。また、中央サーバ５０は、カテーテルコースター３２を体験中の受診者数を把握することができる。
【００４１】
このように、本実施形態の健診システム１は、受診者が脳内迷路３１やカテーテルコースター３２を体験することによって、平常時のバイタルデータだけでなく、運動時、緊張時、加速度負荷時、恐怖を感じている時等のバイタルデータを取得することができる。
【００４２】
次に、ガンシューティング３３について説明する。
【００４３】
ガンシューティング３３は、メディカルテーマパークＰの３階に設けられている（図１参照）。ガンシューティング３３は、図７Ａに示すように、肝動脈、肝臓癌、免疫系等を再現した経路内をコースターで走行するとともに、肝臓癌に向かって抗癌剤を模擬した液体を銃で撃つ、ジェットコースターとシューティングを融合したアトラクションである。このため、受診者は、肝臓癌や体液性免疫と細胞性免疫の違い等について楽しみながら理解を深めることができる。
【００４４】
ガンシューティング３３は、聴力検査および視力検査を実施する。ガンシューティング３３は、図７Ｂに示すように、受診者のガンシューティング３３への入出および受診者のＩＤを検出可能な入出検出部３３ａと、聴力検査および視力検査を行う検査部３３ｂと、各種データを記憶するメモリ３３ｃと、中央サーバ５０との間でデータの送受信が可能な送受信部３３ｄと、を備えている。
【００４５】
聴力検査では、図７Ａに示すように、受診者は、コースターに乗った状態でヘッドホンを装着し、所定の音が鳴った場合に、肝臓癌に向かって銃を撃つように指示される。検査部３３ｂは、受診者が所定の音が鳴った場合に銃を撃ったか否かによって聴力を検査する。なお、聴力検査の方法は、受診者が、ガンシューティング３３を体験中に聴力検査を行うことができれば、上記の方法に限定されない。
【００４６】
視力検査では、受診者は、肝臓癌の上下左右の何れかに設けられた所定の大きさのマーカー（図示省略）に向かって銃を撃つように指示される。検査部３３ｂは、受診者がマーカーの設けられている方向に向かって銃を向けたか否かによって視力を検査する。なお、視力検査の方法は、受診者が、ガンシューティング３３を体験中に視力検査を行うことができれば、上記の方法に限定されない。
【００４７】
メモリ３３ｃは、受診者のＩＤごとに、入出タイミングおよび聴力検査・視力検査の検査データ等を記憶する。
【００４８】
送受信部３３ｄは、受診者のＩＤごとに紐付けた入出タイミングおよび聴力・視力検査の検査データ等を、中央サーバ５０に送信する。
【００４９】
次に、シリンジライド３４について説明する。
【００５０】
シリンジライド３４は、メディカルテーマパークＰの３階に設けられている（図１参照）。シリンジライド３４は、図８Ａに示すように、患者の生体内の映像（または生体内を模擬した映像）が映されるスクリーンと、スクリーンに投影される映像に合わせて動く座席と、を有している。座席は、患者の生体内に薬剤や栄養剤を注入するシリンジを模擬している。受診者は、３Ｄ眼鏡をかけた状態で座席に着席し、シリンジが、生体内の栄養の不足する部位に向けて栄養剤を注入したり、病変部に薬剤を注入したりし、身体の不調を訴える患者を救う旅に出るのを、体感する。これによって、受診者は、薬剤や栄養剤等の輸液について楽しみながら理解を深めることができる。
【００５１】
シリンジライド３４は、腹囲検査および胸部Ｘ線検査を実施する。シリンジライド３４は、図８Ｂに示すように、受診者のシリンジライド３４への入出および受診者のＩＤを検出可能な入出検出部３４ａと、腹囲検査および胸部Ｘ線検査を行う検査部３４ｂと、各種データを記憶するメモリ３４ｃと、中央サーバ５０との間でデータの送受信が可能な送受信部３４ｄと、を備えている。
【００５２】
検査部３４ｂは、受診者が座席に座ってベルトを締めることによって、腹囲を測定する。また、検査部３４ｂは、受診者が座席に座ってベルトを締めた状態で、受診者の胸部Ｘ線画像を取得する。なお、腹囲検査および胸部Ｘ線検査の方法は、受診者がシリンジライド３４を体験中に腹囲検査および胸部Ｘ線検査を行うことができれば、上記の方法に限定されない。
【００５３】
メモリ３４ｃは、受診者のＩＤごとに、入出タイミングおよび腹囲・胸部Ｘ線検査の検査データを記録する。
【００５４】
送受信部３４ｄは、受診者のＩＤごとに紐付けられた入出タイミングおよび腹囲・胸部Ｘ線検査の検査データを、中央サーバ５０に送信する。
【００５５】
（健診設備）
健診設備４０は、アトラクション３０を体験せずに健康診断を受けることができる設備（病院等に設けられる一般的な健康診断の設備）である。
【００５６】
健診設備４０は、図２に示すように、各診断項目に応じて検査データを取得する複数の検査設備４１（「検査データ取得部」に相当）を備えている。
【００５７】
複数の検査設備４１は、特に限定されないが、例えば、身長・体重検査設備、腹囲の検査設備、視力・聴力検査設備、胸部Ｘ線検査設備、尿検査設備、血液検査設備、心電図検査設備、超音波エコー検査設備、ＭＲＩ・ＣＴ等の画像検査設備等である。
【００５８】
身長・体重検査設備は、特に限定されないが、例えば、メディカルテーマパークＰの１階の入場ゲート１０の奥に設けることができる。
【００５９】
腹囲検査設備、視力・聴力検査設備、および、胸部Ｘ線検査設備は、特に限定されないが、例えば、メディカルテーマパークＰの２階に設けることができる。腹囲検査、視力・聴力検査および胸部Ｘ線検査に関しては、アトラクション３０が検査する検査項目と重複している。このため、前述したように、受診者は、これらの項目に関しては、アトラクション３０と健診設備４０のどちらで検査を行うかを選択する。
【００６０】
尿検査設備は、特に限定されないが、例えば、各階のトイレに設けることができる。このため、受診者が多い場合に、尿検査による待ち時間の増加を抑制することができる。また、受診者は、所望のタイミングで尿検査を受けることができる。
【００６１】
血液検査設備、心電図検査設備および超音波エコー検査設備は、特に限定されないが、例えば、メディカルテーマパークＰの２階に設けることができる。なお、心電図検査設備および超音波エコー検査設備は、休憩所としての機能も備えている。アトラクション３０の体験等に疲れた場合、受診者は、心電図検査設備および超音波エコー検査設備のベッドの上に横たわり、休憩しながら心電図検査や超音波エコー検査を受けることができる。バイタルバンド２０は、心電図検査設備および超音波エコー検査設備で受診者が休憩中に、平常時のバイタルデータを取得することができる。
【００６２】
ＭＲＩ・ＣＴ等の画像検査設備は、特に限定されないが、例えば、メディカルテーマパークＰの１階の入場ゲート１０の奥に設けることができる。
【００６３】
各検査設備４１は、図９に示すように、受診者の各検査設備４１への入出および受診者のＩＤを検出可能な入出検出部４１ａと、検査項目に応じて検査データを取得する検査部４１ｂと、各種データを記憶するメモリ４１ｃと、中央サーバ５０との間でデータの送受信が可能な送受信部４１ｄと、を備えている。
【００６４】
検査部４１ｂは、例えば、検査項目に応じた公知の検査装置・検査器具等によって構成することができる。なお、本実施形態では、血液検査設備では、受診者は、自己採血キットを用いて、自分で採血し、検査部４１ｂは、受診者が自己採血した血液を検査する。このため、受診者が多い場合、血液検査設備における待ち時間を緩和することができる。なお、血液検査設備において採血を行う方法は上記に限定されず、医師や看護師等が注射器で採血を行ってもよい。
【００６５】
メモリ４１ｃは、受診者のＩＤごとに、各検査設備４１への入出タイミングおよび検査データを記憶する。
【００６６】
送受信部４１ｄは、受診者のＩＤごとに紐付けた各検査設備４１への入出のタイミングおよび検査データ等を、中央サーバ５０に送信する。
【００６７】
（中央サーバ）
中央サーバ５０は、図１０に示すように、バイタルデータおよび検査データに基づいて診断する診断処理部５１と、各受診者の検査希望項目の検査順を決定する検査順決定部５２と、各種データを記憶可能なメモリ５３と、入場ゲート１０・バイタルバンド２０・アトラクション３０・健診設備４０・退場ゲート６０との間でデータの送受信が可能な送受信部５４と、を備えている。
【００６８】
診断処理部５１は、メモリ５３に記憶されているバイタルデータおよび検査データに基づいて、受診者の健康状態を評価する（診断する）。診断処理部は、健康状態を評価するプログラムを実行するＣＰＵによって構成されている。健康状態の評価は、例えば、取得したバイタルデータおよび検査データが、メモリ５３に記憶されている各検査項目の基準をクリアしているか否かを判断すること等によって行うことができる。また、診断処理部５１は、メディカルテーマパークＰを前回訪問した際に得られた診断結果と、今回取得した診断結果とを比較してもよい。また、診断処理部５１は、メディカルテーマパークＰ以外の施設で受けた健康診断の診断結果と、今回メディカルテーマパークＰで取得された診断結果とを比較してもよい。また、診断処理部５１は、診断結果に応じて、メモリ５３に記憶されている医療・健康に関連する商品をピックアップする。
【００６９】
検査順決定部５２は、特に限定されないが、例えば、検査順を決定するプログラムを実行するＣＰＵや、人工知能等によって構成されている。検査順決定部５２は、まず、受付端末１１から検診希望項目等のデータを受信した際、検査希望項目の検査順を決定し、バイタルバンド２０に検査順を送信する。検査順決定部５２は、特に限定されないが、例えば、アトラクション３０・健診設備４０で待ち時間がない場合は、受診者がメディカルテーマパークＰの上の階から下の階に向かって移動するように検査希望項目の検査順を決定することができる。これによって、受診者が、上の階から下の階の退場ゲート６０に向かう流れを作ることができる。検査順決定部５２は、特に限定されないが、例えば、各アトラクション３０および健診設備４０への各受診者の入出タイミング等から待ち時間を計算し、一の受診者が次の検査希望項目の検査を受ける際に待ち時間が発生する場合は、待ち時間のより少ない他の検査希望項目の検査を次に受けるように、検査順を変更してもよい。検査順決定部５２は、この検査順の変更を定期的に行い、バイタルバンド２０に変更された検査順を送信してもよい。仮に受診者が健康診断の途中で、トイレ、フードコート、レストラン、職業体験施設、売店等のメディカルテーマパークＰの他の施設に行き、その間にアトラクション３０や健診設備４０の待ち時間が変わったとしても、変更した検査順に従って、受診者は、待ち時間のより少ない検査項目を次に受けることができる。
【００７０】
メモリ５３は、各種プログラム、診断処理部５１が診断する際に用いられる各検査項目の基準、診断処理部５１が診断結果に応じた商品をピックアップする際に用いられる医療・健康に関連する複数の商品等のデータを記憶する。また、メモリ５３は、受診者のＩＤごとに、個人情報、検査希望項目、検査順、各アトラクション３０・健診設備４０への入出タイミング、バイタルデータ、検査データ、診断結果、比較結果、診断結果に応じた商品等を紐付けて記憶する。
【００７１】
（退場ゲート）
退場ゲート６０は、図２に示すように、受診者の通過を検知する退場検知部６１と、診断結果を出力する出力端末６２（「結果通知部」に相当）と、バイタルバンド２０を回収する回収部６３と、を備えている。以下、退場ゲート６０の各部について説明する。
【００７２】
まず、退場検知部６１について説明する。
【００７３】
退場検知部６１は、バイタルバンド２０を取付けた受診者の通過を検知するゲートによって構成している。退場検知部６１は、バイタルバンド２０を取付けた受診者の通過を検知した場合、バイタルバンド２０にバイタルデータの取得を終了して、取得したバイタルデータを中央サーバ５０に送信する旨を指示する。これによって、バイタルバンド２０は、バイタルデータを中央サーバ５０に送信し、診断処理部５１は、診断を開始する。また、退場検知部６１は、未検査項目がある状態で、受診者が退場検知部６１を通過しようとした場合は、ゲートを閉じて、受診者が退場できないようにしてもよい。
【００７４】
次に、出力端末６２について説明する。
【００７５】
出力端末６２は、図１１に示すように、受診者からの診断結果の出力指示を受付ける入力ＩＦ６２ａと、診断結果を出力する出力ＩＦ６２ｂと、各種データを記憶するメモリ６２ｃと、中央サーバ５０との間でデータの送受信が可能な送受信部６２ｄと、を備えている。
【００７６】
入力ＩＦ６２ａは、本実施形態では、タッチパネルによって構成している。ただし、入力ＩＦ６２ａの構成は、受診者からの診断結果の出力指示を受付けることができれば特に限定されず、例えば、キーボードによって構成してもよい。
【００７７】
出力ＩＦ６２ｂは、特に限定されないが、例えば、プリンターによって構成することができる。出力ＩＦ６２ｂは、メモリ６２ｃに記憶されたＩＤ、個人情報、診断結果、比較結果、および、診断結果に応じた商品等のデータを出力する。
【００７８】
メモリ６２ｃは、ＩＤごとに、個人情報、診断結果、比較結果、および、診断結果に応じた商品等を紐付けて一時的に記憶する。
【００７９】
送受信部６２ｄは、中央サーバ５０からＩＤ、個人情報、診断結果および比較結果等のデータを受信する。
【００８０】
次に、回収部６３について説明する。
【００８１】
回収部６３は、図２に示すように、本実施形態では、複数のバイタルバンド２０を収容可能な箱によって構成している。受診者は、メディカルテーマパークＰから退場する前に、バイタルバンド２０を回収部６３に返却する。
【００８２】
（健診方法）
次に、健診システム１によって実施される健診方法について説明する。
【００８３】
健診方法は、図１２を参照して概説すると、受診者ごとに個人情報と検査希望項目とを紐付ける受付ステップＳ１と、受診者が携行するバイタルバンド２０によってバイタルデータを取得するバイタルデータ取得ステップＳ２と、検査希望項目の検査データを取得する検査データ取得ステップＳ３と、受診者ごとに紐付けたバイタルデータおよび検査データに基づいて診断を行う診断ステップＳ４と、診断ステップＳ４における診断結果を通知する結果通知ステップＳ５と、を有する。以下、各ステップについて説明する。
【００８４】
受付ステップＳ１では、まず、入場ゲート１０が、入力ＩＦ１１ａによって、受診者の個人情報、検査希望項目、一部の診断項目の検査場所の選択等の入力を受付ける。次に、入場ゲート１０は、バンド提供部１１ｂによって、受診者ごとにＩＤを割り当て、ＩＤを記憶したバイタルバンド２０を受診者に提供する。また、入場ゲート１０は、送受信部１１ｄによって、ＩＤごとに紐付けた個人情報、検査希望項目、一部の診断項目の検査場所の選択等のデータを中央サーバ５０に送信する。中央サーバ５０の検査順決定部５２は、検査希望項目の検査順を決定する。
【００８５】
バイタルデータ取得ステップＳ２では、入場ゲート１０の入場検知部１２が、バイタルバンド２０を腕に巻き付けた受診者の通過を検知し、バイタルバンド２０にバイタルデータの取得開始を指示する。これによって、バイタルバンド２０は、バイタルデータの取得を開始する。なお、バイタルバンド２０がバイタルデータを取得するバイタルデータ取得ステップＳ２は、受診者が退場ゲート６０の退場検知部６１を通過するまで続く。
【００８６】
次に、検査データ取得ステップＳ３について説明する。検査データ取得ステップＳ３の説明は、受診者の一番初めの検査項目が、ガンシューティング３３の聴力・視力検査である場合を例に、図１３を参照して説明する。
【００８７】
まず、バイタルバンド２０は、中央サーバ５０から検査順を受信する（Ｓ３１）。次に、バイタルバンド２０は、受診者に次の検査項目がガンシューティング３３の聴力・視力検査である旨を報知する（Ｓ３２）。次に、ガンシューティング３３の入出検出部３３ａは、受診者がガンシューティング３３に入ったことおよび受診者のＩＤを検出し、その旨と受診者のＩＤを中央サーバ５０に送信する（Ｓ３３）。次に、ガンシューティング３３の検査部３３ｂは、聴力・視力検査を実施し、検査データを取得する（Ｓ３４）。次に、ガンシューティング３３の入出検出部３３ａは、受診者がガンシューティング３３から出たのを検出し、送受信部３３ｄは、その旨と受診者のＩＤと検査データを中央サーバ５０に送信する（Ｓ３５）。次に、バイタルバンド２０は、未検査項目があるか否かを判断する（Ｓ３６）。未検査項目がある場合は（Ｓ３６：Ｙｅｓ）、ステップＳ３１の手順に戻る。未検査項目が無い場合は（Ｓ３６：Ｎｏ）、バイタルバンド２０は、受診者に退場ゲート６０に向かうよう旨を報知する（Ｓ３７）。これによって、検査データ取得ステップＳ３が終了する。
【００８８】
なお、検査データ取得ステップＳ３では、受診者は、次の検査希望項目の検査を受ける前に、トイレ、フードコート、レストラン、職業体験設備、売店等のメディカルテーマパークＰの他の施設に行ってもよい。検査順決定部５２は、定期的に検査順を変更し、バイタルバンド２０に変更した検査順を送信しているため、仮に、受診者が健康診断の途中で、トイレ、フードコート、レストラン、職業体験施設、売店等のメディカルテーマパークＰの他の施設に行き、その間にアトラクション３０や健診設備４０の待ち時間が変わったとしても、変更した検査順に従って、受診者は、待ち時間のより少ない検査項目を次に受けることができる。
【００８９】
診断ステップＳ４では、退場ゲート６０の退場検知部６１が、受診者の通過を検知し、バイタルバンド２０にバイタルデータの取得を終了し、ＩＤおよびバイタルデータを中央サーバ５０に送信するように指示する。次に、バイタルバンド２０は、バイタルデータの取得を終了し、ＩＤおよびバイタルデータを中央サーバ５０に送信する。中央サーバ５０のメモリ５３は、ＩＤに基づいて、個人情報、バイタルデータおよび検査データを紐付けて記憶する。診断処理部５１は、メモリ５３に記憶されたバイタルデータおよび検査データに基づいて診断、前回の診断結果との比較、診断結果に応じた商品のピックアップ等を行う。
【００９０】
結果通知ステップＳ５では、退場ゲート６０の出力端末６２が、受診者からの診断結果の通知指示を受付ける。これによって、出力端末６２は、中央サーバ５０からＩＤ、個人情報、診断結果、比較結果および診断結果に応じた商品等のデータを受信し、これらのデータを出力する。受診者は、回収部６３にバイタルバンドを返却する。
【００９１】
以上で、メディカルテーマパークＰにおける健康診断は終了する。なお、受診者は、退場ゲート６０に向かう前に、看護師や医師等の職業体験ができる体験ブース、売店、フードコート等を利用してもよい。
【００９２】
以上本実施形態に係る健診システム１は、個人情報と複数の検査項目のうち検査を希望する検査希望項目とを受診者ごとに紐付ける受付端末１１と、受診者のバイタルデータを取得する携行可能なバイタルバンド２０と、複数の検査項目のそれぞれの検査データを取得可能な複数の検査データ取得部（ガンシューティング３３、シリンジライド３４および検査設備４１）と、受診者ごとに個人情報とバイタルデータと検査データを紐付けて記憶するメモリ５３と、メモリ５３に記憶されたバイタルデータおよび検査データに基づいて診断を行う診断処理部５１と、診断処理部５１による診断結果を受診者に通知する出力端末６２と、を有する。
【００９３】
上記のように構成した健診システム１は、健康診断の受付から診断結果の通知までの流れを効率化することができる。
【００９４】
また、健診システム１は、受診者の通過を検知する入場検知部１２と、受診者の通過を検知する退場検知部６１と、をさらに有し、バイタルバンド２０は、入場検知部１２が受診者の入場を検知した場合に、バイタルデータの取得を開始し、退場検知部６１が受診者の退場を検知した場合に、バイタルデータの取得を終了して、メモリ５３にバイタルデータを送信する。受診者が、入場検知部１２および退場検知部６１を通過するだけで、バイタルデータの取得の開始および終了、バイタルデータの送信を行えるため、健診システム１は、より一層効率的に健康診断を行える。
【００９５】
また、バイタルバンド２０は、検査希望項目のうち未検査項目がある場合、その旨を報知する報知部２５を備える。このため、受診者は、検査希望項目のうち未検査項目があることを容易に把握することができる。
【００９６】
また、健診システム１は、受診者の検査希望項目の検査順を決定する検査順決定部５２をさらに有し、バイタルバンド２０は、受診者に検査順を報知する報知部２５を備える。このため、受診者は、次の検査項目を容易に把握することができる。
【００９７】
また、検査順決定部５２は、次の検査希望項目の検査を受ける際に待ち時間が発生する場合は、待ち時間のより少ない他の検査希望項目の検査を次に受けるように、検査順を変更する。このため、健診システム１は、より一層効率的に健康診断を行える。
【００９８】
また、入場ゲート１０は、受診者ごとにＩＤを付与する。このため、健診システム１は、ＩＤによって受診者を識別し、受診者ごとにバイタルデータおよび検査データを管理できる。
【００９９】
また、診断処理部５１は、前回の診断結果と今回の診断結果とを比較し、退場ゲート６０は、診断処理部５１による比較結果を受診者に通知する。このため、受診者は、健康状態の移り変わりを把握することができる。
【０１００】
また、出力端末６２は、診断結果に応じた商品を受診者に通知する。このため、受診者は、自身の健康状態を改善するために、どのような商品を使用すればよいかを容易に把握することができる。
【０１０１】
また、バイタルバンド２０は、受診者の腕に巻き付けられる。このため、受診者は、バイタルバンド２０を容易に着け外しすることができる。
【０１０２】
また、検査データ取得部の少なくとも一つ（ガンシューティング３３およびシリンジライド３４）は、医療をテーマにしたアトラクションであって、受診者がアトラクション３０を体験中に検査データを取得する。このため、受診者は、楽しみながら医療についての理解を深めることができる。その結果、検査データ取得部は、受診者の健康診断を行うだけでなく、セルフメディケーションの意識を高めることができる。
【０１０３】
また、本実施形態に係る健診方法は、受診者ごとに個人情報と複数の検査項目のうち検査を希望する検査希望項目とを紐付ける受付ステップＳ１と、受診者が携行するバイタルバンド２０によってバイタルデータを取得するバイタルデータ取得ステップＳ２と、検査希望項目の検査データを取得する検査データ取得ステップＳ３と、受診者ごとに紐付けたバイタルデータおよび検査データに基づいて診断を行う診断ステップＳ４と、診断ステップにおける診断結果を通知する結果通知ステップＳ５と、を有する。このため、本実施形態に係る健診方法によれば、健康診断の受付から診断結果の通知までの流れを効率化できる。
【０１０４】
（変形例）
図１４は、変形例に係るアトラクション１３０を示す図である。
【０１０５】
変形例に係るアトラクション１３０は、メディカルテーマパークＰの５階建ての建物の外に設けられている点で上記実施形態と相違する。
【０１０６】
アトラクション１３０は、食道、胃および潰瘍等の病変部を模したタワー内を、内視鏡を模した乗車部が垂直落下するフリーフォールである。また、受診者は、十二指腸を模した入口からアトラクション１３０に入り、乗車部に乗車する。乗車部は、頂上まで上昇した後、垂直落下し、胃が設けられている部分で一時停止した後、再び垂直落下する。このため、受診者は、食道、胃、十二指腸およびこれらに生じる病変部について、楽しみながら理解を深めることができる。
【０１０７】
アトラクション１３０は、腹部Ｘ線検査を実施する。アトラクション１３０は、受診者が、乗車部に乗車して安全バーを取付けた状態で、腹部Ｘ線検査を行う。
【０１０８】
なお、アトラクション１３０は、上記実施形態に係るガンシューティング３３やシリンジライド３４と同様に、入出検出部、検査部、メモリ、送受信部等を備えているが、これらは上記実施形態と同一の構成であるため、その説明を省略する。
【０１０９】
このように、建物の外にアトラクション１３０を設ける場合は、入場ゲート１０および退場ゲート６０は、建物の外に設けることが好ましい（図示省略）。
【０１１０】
以上、実施形態を通じて本発明に係る健診システムおよび健診方法を説明したが、本発明は明細書内で説明した各構成のみに限定されるものでなく、特許請求の範囲の記載に基づいて適宜変更することが可能である。
【０１１１】
例えば、上記実施形態では、本発明に係る健診システムおよび健診方法をメディカルテーマパークに適用したが、本発明に係る健診システムおよび健診方法を適用する施設はメディカルテーマパークに限定されず、病院・企業・学校の一般的な健康診断の設備に適用することができる。
【０１１２】
また、上記実施形態では、バイタルデータ取得部が、受診者の腕に巻き付けられるバイタルバンドによって構成されている場合を説明したが、バイタルデータ取得部は、受診者が携行可能であり、かつ、バイタルデータを取得可能である限り特に限定されない。例えば、バイタルデータ取得部は、複数の機器から構成されていてもよい。具体的には、バイタルデータ取得部は、受診者の体表に貼り付けられてバイタルデータを取得するセンサと、センサと無線通信が可能な、或いは、センサと信号ケーブル等を介して取り外し可能に接続される小型の携帯端末と、を有していてもよい。この場合、例えば、受診者は、センサを胸部等の体表に貼り付け、携帯端末を首から下げて、健康診断を受けてもよい。携帯端末は、健康診断中、センサからの信号の処理、各種データの記憶、中央サーバとの間での各種データの送受信、受診者への各種情報の報知等を行う。健康診断が終わった段階で、携帯端末は回収し、体表に貼り付けられたセンサは、廃棄してもよい。
【０１１３】
また、上記実施形態では、結果通知部が退場ゲートの出力端末によって構成されている場合を説明したが、結果通知部の構成は、受診者に、診断結果を通知可能であれば特に限定されない。例えば、結果通知部は、中央サーバに組み込まれており、診断結果を個人・企業・学校・かかり付けの病院のメールアドレス、地域の医療データベース等に送信してもよい。
【０１１４】
また、上記実施形態では、受診者が、入場検知部および退場検知部を通過することによって、バイタルバンドがバイタルデータを中央サーバに送信する場合を説明したが、バイタルバンドがバイタルデータを中央サーバに送信するタイミングは特に限定されない。例えば、バイタルバンドは、バイタルバンドのメモリに一定量のバイタルデータが蓄積されるごとに、中央サーバにバイタルデータを送信してもよい。また、例えば、バイタルバンドは、退場ゲートの出力端末が受診者から診断開始の指示を受けた場合に、バイタルデータを中央サーバに送信してもよい。
【０１１５】
また、上記実施形態では、ＩＤによって、受診者ごとに個人情報とバイタルデータと検査データとを紐付けたが、受診者ごとに個人情報とバイタルデータと検査データとを紐付ける方法は、特に限定されない。例えば、受診者の氏名によって、受診者ごとに個人情報とバイタルデータと検査データとを紐付けてもよい。
【０１１６】
また、上記実施形態では、検査データ取得部が中央サーバに直接検査データを送信する場合を説明したが、検査データ取得部がバイタルデータ取得部に検査データを送信し、バイタルデータ取得部が、検査データおよびバイタルデータを中央サーバに送信してもよい。
【０１１７】
また、本発明に係る健診方法は、受付ステップと、バイタルデータ取得ステップと、検査データ取得ステップと、診断ステップと、結果通知ステップと、を有している限り特に限定されない。例えば、上記実施形態では、バイタルデータ取得ステップを開始した後に、検査データ取得ステップを開始する場合を説明したが、検査データ取得ステップを開始した後に、バイタルデータ取得ステップを開始してもよい。また、検査データ取得ステップと、バイタルデータ取得ステップが同時進行してもよい。
【符号の説明】
【０１１８】
１      健診システム、
１０    入場ゲート、
１１    受付端末（受付部）、
１２    入場検知部、
２０    バイタルバンド、
２５    報知部（検査順報知部、未検査報知部）、
３０    アトラクション、
３１    脳内迷路、
３２    カテーテルコースター、
３３    ガンシューティング（検査データ取得部）、
３４    シリンジライド（検査データ取得部）、
４０    健診設備、
４１    検査設備（検査データ取得部）、
５０    中央サーバ、
５１    診断処理部、
５２    検査順決定部、
５３    メモリ、
６０    退場ゲート、
６１    退場検知部、
６２    出力端末（結果通知部）、
１３０  アトラクション、
Ｐ      メディカルテーマパーク。
【図１】
2019053696.tif 000003
【図２】
2019053696.tif 000004
【図３】
2019053696.tif 000005
【図４】
2019053696.tif 000006
【図５Ａ】
2019053696.tif 000007
【図５Ｂ】
2019053696.tif 000008
【図６Ａ】
2019053696.tif 000009
【図６Ｂ】
2019053696.tif 000010
【図７Ａ】
2019053696.tif 000011
【図７Ｂ】
2019053696.tif 000012
【図８Ａ】
2019053696.tif 000013
【図８Ｂ】
2019053696.tif 000014
【図９】
2019053696.tif 000015
【図１０】
2019053696.tif 000016
【図１１】
2019053696.tif 000017
【図１２】
2019053696.tif 000018
【図１３】
2019053696.tif 000019
【図１４】
2019053696.tif 000020